Podtech/llm-jp-corpus-v4-ja_patent huggingface dataset:
(57)【要約】      （修正有）【課題】既存のディスク収納ケースを使用して、該当ディスクの中央部の穴と外周を合わせた形で、かつディスクの見出しが容易に判別でき、かつディスクをコンパクトかつ大量保存し、かつディスクの取り出しを容易に行うことができるディスク仕切り板を提供する。【解決手段】収納ケースに収納された複数の円盤状のディスク５の間には、仕切り板７が設けられている。該仕切り板７は、収納ケースのベース部２から上方に延びる芯棒３が挿通される貫通穴９と、仕切り板７の外周縁に設けられる見出しタブ８Ａ、８Ｂとから構成されている。見出しタブ８Ａ、８Ｂは、仕切り板７の外周縁上において、その対向する位置に設けられている。見出しタブ８Ａ、８Ｂは、折り曲げ可能な可撓性部材に紙製のインデックスでコーティングしている。【選択図】図２
0003206363.tif 000002
【実用新案登録請求の範囲】
【請求項１】
収納ケースに収納された複数の円盤状のディスク間に設けられる仕切り板であって、該仕切り板は、収納ケースのベース部から上方に延びる芯棒が挿通される貫通穴と、前記仕切り板の外周縁に設けられる見出しタブとから構成されていることを特徴とする、ディスク仕切り板。
【請求項２】
前記見出しタブは、外周縁上において、その対向する位置に複数設けられていることを特徴とする、請求項１記載のディスク仕切り板。
【請求項３】
前記見出しタブは、折り曲げ可能な可撓性部材で構成されていることを特徴とする、請求項１又は２記載のディスク仕切り板。
【考案の詳細な説明】
【技術分野】
【０００１】本考案は、音声・動画や静止画等の画像・データなどを記録したコンパクトディスク（ＣＤ）を収納する、収納ケースに関するものである。
【背景技術】
【０００２】従来、大量で未記録のコンパクトディスクを仕分けして収納するには、それらが収納されていたケースとは別々に保管するのが主流であったが、３Ｒ（ｒｅｄｕｃｅ，ｒｅｕｓｅ，ｒｅｃｙｃｌｅ）が重視されている今日では、環境負荷が大なる、収納ケースの破棄から、環境負荷が小なる収納ケースの再利用へと変わりつつある。
【先行技術文献】
【特許文献】
【０００３】
【特許文献１】特開２０１０−１６８０６１
【特許文献２】特開２００７−２９７１０４
【考案の概要】
【考案が解決しようとする課題】
【０００４】既存のディスク収納ケースを使用して、該当ディスクの中央部の穴と外周を合わせた形で、かつディスクの見出しが容易に判別でき、かつディスクをコンパクトかつ大量保存し、かつディスクの取り出しを容易に行う。
【課題を解決するための手段】
【０００５】ディスクと同一円周の仕切り板に、中央部には既存のディスク収納ケースに挿通できるような開口部があり、該当ディスクが挟まり、近接する見出しは色違いで、可撓性部材に紙製でコーティングされた、２か所の見出しタブがついている。
【考案の効果】
【０００６】既存のディスク収納ケースを利用した収納・保存なので、ケースの再利用が可能となり、かつ見出しタブを参照することにより、取り出したいディスクが、両手の人差し指と親指で見出しタブをそれぞれ持ち上げることにより、行うことができる。
【図面の簡単な説明】
【０００７】
【図１】本考案の実施例を示す側面図である。
【図２】本考案の実施例を示す分解斜視図である。
【図３】本考案の仕切り板を示す斜視図である。
【図４】本考案の仕切り板を示す側面図である。
【考案を実施するための形態】
【実施例】本考案の実施例について、図面に基づいて説明する。【０００８】ＣＤ等のコンパクトディスク５（以下ディスクと称する）を収納する収納ケース１は、円盤状のベース部２と、該ベース部２の中心部から上方に向けて突出する円柱状の芯棒３と、この円柱状の芯棒３の上方からかぶせる、断面逆Ｕ字状のカバー部４とから構成されている。
上記した構成とすることで中央に穴６が形成されている複数のディスク５を芯棒３の上方から順に差し込んで収納していくことができる。【０００９】前記ベース部２の側面に形成した係合部２Ａに、カバー部４の開口部にある係止部４Ａを時計回りに回転することによって両者の引っ掛かりにより、前記ベース部２とカバー４が固定されている。【００１０】収納ケースに収納された複数の円盤状のディスクの間には、仕切り板７が設けられている。該仕切り板７は、収納ケースのベース部２から上方に延びる芯棒３が挿通される貫通穴９と、前記仕切り板７の外周縁に設けられる見出しタブ８Ａ、８Ｂとから構成されている。【００１１】前記見出しタブ８Ａ、８Ｂは、前記仕切り板７の外周縁上において、その対向する位置に設けられている。【００１２】前記見出しタブ８Ａ、８Ｂは、折り曲げ可能な可撓性部材（例えばポリスチレン）に紙製のインデックスでコーティングしている。【００１３】上記構成とすることで、両手の人差し指と親指で、見出しタブ８Ａ、８Ｂをそれぞれつまむことにより、該仕切り板より上のディスクを取り出すことができる。【００１４】また上記構成とすることで、上下の仕切り板７の見出しタブ８Ａ、８Ｂをスライド回転させることにより、見出しが重ならずに見えやすくなる。【００１５】さらに上記構成とすることで、カバー部４を透明にすれば、見出しタブ８Ａ、８Ｂが折り曲がっても重ならないことにより、見出しが見えやすくなる。
【符号の説明】
【００１６】１    収納ケース
２    ベース部
２Ａ  係合部
３    芯棒
４    カバー部
４Ａ  係止部
５    ディスク
６    穴
７    仕切り板
８Ａ  見出しタブ
８Ｂ  見出しタブ
９    貫通穴
【図１】
0003206363.tif 000003
【図２】
0003206363.tif 000004
【図３】
0003206363.tif 000005
【図４】
0003206363.tif 000006
(57)【要約】      （修正有）【課題】弦楽器のネック取り付け部に、金属製凸部を支点とするシーソー構造を有することで、弦高を調節することができるネック取り付け角度調整機構の構造を提供する。      【解決手段】弦楽器のネック取り付け部３の中央部に金属製凸部４を設け、装着するネック２に対して金属製凸部４を挟む前後２本乃至４本の取付けねじ５、６によりネック２を固定し、この取り付けねじ５、６の操作によりネック２の取り付け角度を自在に調整して弦楽器の弦高１１を調整するシーソー構造を持つ。【選択図】図１
0003206146.tif 000002
【実用新案登録請求の範囲】
【請求項１】
弦楽器のネック取り付け部の中央部に凸部を設け、装着するネックに対して凸部を挟む前後２本乃至４本のねじによりネックを固定し、このねじの操作によりネックの取り付け角度を自在に調整して弦楽器の弦高を調整するシーソー構造を持つネック取り付け角度調整機構の構造。
【考案の詳細な説明】
【技術分野】
【０００１】
本考案は、シーソー構造による弦楽器ネックの可変式角度調整機能を有するネック取り付け部の構造に関するものである
【背景技術】
【０００２】
ネックを持つ弦楽器においては、ネックはボディに対して接着もしくはねじ止めにより、その弦高を決定するネックの取り付け角度は固定されており、弦の張力、ネック木材の乾燥などにより生じるネックの反りにより弦高は上下に変化し、演奏の妨げとなっている。
【考案の概要】
【考案が解決しようとする課題】
【０００３】
解決しようとする課題は、ネックを持つ弦楽器はネックが固定されていることにより、ネックの反りによって弦高が上下し、楽器演奏に支障を来す事である。
【課題を解決するための手段】
【０００４】
本考案は、ネックの反りによる弦高の変化に対して、ネック取り付け部にシーソー構造を持つネック取り付け角度調整機能を付加する事を主要な特徴とする。
【考案の効果】
【０００５】
本考案のシーソー構造によるネック取り付け角度調整機構により、ネックを持つアコースティックギター、エレクトリックギター、エレクトリックベース、バンジョー、ウクレレ等の経年変化によるネックの反り、ボディの変形などを原因とする弦の高さの変化に対して、ヒールに付属されたネック取り付け角度調整機構により、簡便に高すぎる弦高を下げ、もしくは低すぎる弦高を上げることを可能として、演奏者の指板に対する運指を容易とする事を提供する。
【図面の簡単な説明】
【０００６】
【図１】図１弦楽器におけるシーソー構造によるネック取り付け角度調整機構の構造断面図である。
【図２】図２は弦楽器の全体斜視図でありネック取り付け角度調整取り付け部とシーソー構造をもたらす金属製凸部の設置図である。
【図３】図３はシーソー構造によるネック取り付け角度調整の実施方法を示した説明図であり弦高を上げる例を示すものである。（実施例１）
【図４】図４はシーソー構造によるネック取り付け角度調整の実施方法を示した説明図であり弦高を下げる例を示すものである。（実施例２）
【考案を実施するための形態】
【０００７】
ネックの反りまたは変形による弦高の上下を調整する目的に対して、ネック取り付け部にシーソー構造を持たせ、前部の取り付けねじを締め付け、後部の取り付けねじを緩める事で弦高を下げる調整を実現し、前部の取り付けねじを緩め、後部の取り付けねじを締め付ける事で弦高を上げる調整を実現した。
【実施例】
【０００８】
図１は弦楽器の全体断面図であって、本考案シーソー構造によるネック取り付け角度調整取り付け部の構造図であり、２のネックは３のネック取り付け部に設置されたシーソー構造をもたらす４の金属製凸部により支えられ、３のネック取り付け部に５の前部取り付けねじと６の後部取り付けねじにより取り付けられ固定された状態にあって、２のネック底部とネック取り付け部とは、４の金属製凸部により僅かな隙間が生じる事を示すものである。
【０００９】
図２は弦楽器の斜視図であり、ネック取り付け部に設置したネック取り付け角度調整基部であって、シーソー作用をもたらす４の金属製凸部を明示すものである。
【００１０】
図３（実施例１）は弦高を上げる調整であり２のネックの取り付け角度を減らすべく、５の前部取り付けねじを緩め、同時に、６の後部取り付けねじを締め付けることで１１の指板に対する弦高を増加させる事を示す。
【００１１】
図４（実施例２）は弦高を下げる調整であり２のネックの取り付け角度を増やすべく、６の後部取り付けねじを緩め、同時に５の前部取り付けねじを締め付ける事で１１の指板に対する弦高を減少させる事を示す。
【符号の説明】
【００１２】
１  弦楽器ボディ
２  ネック
３  ネック取り付け部
４  シーソー構造をもたらす金属製凸部
５  前部取り付けねじ
６  後部取り付けねじ
７  弦
８  弦止め
９  調整前のネック角度
１０  調整後のネック角度
１１  指板に対する弦高
１２  ネック底部とネック取り付け部との隙間
【図１】
0003206146.tif 000003
【図２】
0003206146.tif 000004
【図３】
0003206146.tif 000005
【図４】
0003206146.tif 000006
(57)【要約】【課題】高い技術を要することなく、最少分量の生花により、質の高い環境を創出することを可能とする花器を提供する。【解決手段】造葉又は造花が付設されている花器であって、構成物を収める収容器１と、収容器１内に配置された基台４と、基台４に接着し収容器１外から視認可能に配置された造葉又は造花２と、基台４上に鉛直方向に着脱自在に配置された生花受入筒３とを有することを特徴とする。使用に際しては、生花受入筒３に注水し、生花の茎部分を挿入する。【選択図】図１
0003206115.tif 000002
【実用新案登録請求の範囲】
【請求項１】
造葉又は造花が付設されている花器であって、
収容器と、
前記収容器内に配置された基台と、
前記基台に接着し前記収容器外から視認可能に配置された造葉又は造花と、
前記基台上に着脱自在に設置された生花受入筒と、
を有することを特徴とする花器。
【考案の詳細な説明】
【技術分野】
【０００１】
本考案は、花器に関する。
【背景技術】
【０００２】
鑑賞物としての「花」には、生花と造花があり、居間やホテルのロビー等に置く場合には、どちらも花瓶等の花器に収容される。花器に収容される生花又は造花は、通常、生花の場合は生花のみ、造花の場合は造花のみであって、通常、生花と造花が一の花器に混入されて飾置されたものは見ない。
【０００３】
したがって、現在市販されている花器についても、両者を混成して飾ることを前提とした構造を有するものはない。一般的に、花器は、単に入れ物、容器として認知されているのみである。
【考案の概要】
【考案が解決しようとする課題】
【０００４】
自然物としての生花には、人工物である造花にはない「気」、「生命力」があり、周囲に活力を与える。その差は、生き物としてのペットと、布で作られた縫いぐるみとの差に類似する。ペットを飼うのと同じく、生花は、老年者の痴呆症などの予防改善に効果的であることが認知されている。
【０００５】
しかしながら、生花を活けることには技術を要する。また、生花は高価であり、状況に応じて満足いく分量を購入することが難しい。このような事情により、生活の一端に生花を取り入れたくても、経済的、技術的に困難であることが、人間的な生活の質を向上させる機会を著しく奪っていることに問題がある。
【０００６】
上記問題に鑑み、本考案においては、高い技術を要することなく、最少分量の生花により、質の高い環境を創出することを可能とする花器を提供することを課題とする。
【課題を解決するための手段】
【０００７】
上記課題を解決するため、本考案に係る花器は、造葉又は造花が付設されている花器であって、構成物を収める収容器と、前記収容器内に配置された基台と、前記基台に接着し前記収容器外から視認可能に配置された造葉又は造花と、前記基台上に着脱自在に配置された生花受入筒とを有することを特徴とする。本花器の使用に際しては、前記生花受入筒に注水し、生花の茎部分を挿入する。
【考案の効果】
【０００８】
本考案により、最少分量の生花により周囲に活力を与える室内用鑑賞植物のセットを創出することが可能となる。このため、生花購入のための支出が大幅に削減される。
【０００９】
本考案により、高い技術を要することなく、活け花に近いアートを実践することが可能となる。このため、何人も生花が近くにある質の高い生活環境“ＱＯＬ （Quality Of Life）”を実現することができる。
【図面の簡単な説明】
【００１０】
【図１】本実施形態の花器の構成を示すための模式図である。
【図２】本実施形態の、生花を配置する前の花器の写真である。
【図３】本実施形態の、生花を配置した後の花器の写真である。
【考案を実施するための形態】
【００１１】
本実施形態の花器の構成及び各部品の素材等ついて、図を用いて説明する。
図１に示すように、本実施形態の花器は、花器本体としての収容器１、収容器１内に配置されている造草２、生花を受入れて鮮度を保持するための生花受入筒４、並びに造草２及び生花受入筒４を支持する基台３によって構成される。造草２については、造花を加えたものとすることも可能である。
【００１２】
収容器１は通常の花瓶等と同様、陶器、ガラスなどを素材とし、造草２は繊維質若しくは樹脂質のポリエステル、又はスポンジ質のウレタン等が使用可能である。生花受入筒４は、硝子、陶器、プラスティック等を素材とする試験管型の容器であって、生花と水を受入れ、生花の鮮度を一定期間保持できるようになっている。基体４は、硬性の合成樹脂や樹脂粘土等の耐水性固形物から成り、収容器１内に、取り出しが可能に入置されている。
【００１３】
本実施案においては、造草２は基体４に耐水性の接着剤を使用して固着されているが、樹脂粘土に埋め込む等の方法により、取り換えができるような構成とすることもできる。生花受入筒４は、基体４の表面に作成した溝に嵌着するなどの方法により、着脱自在に設置されており、水の取り換えや掃除が容易になっている。
【符号の説明】
【００１４】
１  収容器（花器本体）
２  造草又は造花
３  基台
４  生花受入筒
５  生花
【図１】
0003206115.tif 000003
【図２】
0003206115.tif 000004
【図３】
0003206115.tif 000005
(57)【要約】      （修正有）【課題】荷重受けベルトのずり下がりを防止すると共に、腰部周りをスリム化できる支柱受け具を提供する。【解決手段】非伸縮性ウエストベルトａに、吊り下げ用バンドｂにより、硬質プラスチック製の支柱受け具ｃを組み付け、支柱ｄ下部を直接挿入し上半身荷重負荷を受ける。【選択図】図１
0003206132.tif 000002
【実用新案登録請求の範囲】
【請求項１】
ウエストベルトに吊り下げられた、支柱受け具。
【考案の詳細な説明】
【技術分野】
【０００１】
腰椎椎間板ヘルニアによる、歩行不全  腰痛などの症状を改善する、身体の機      能補助具としての身体に装着する、腰椎負荷軽減装具に関するもの。
【背景技術】
【０００２】
松葉杖
【先行技術文献】
【非特許文献】
【０００３】
登録第３１８９９３８
【特許文献】
【０００４】
特願２０００−２８７７５７
【考案の概要】
【考案が解決しようとする課題】
【０００５】
荷重受けベルトのずり下がり防止と、腰部周りのスリム化。
【課題を解決するための手段】
【０００６】
従来品の腰椎ベルトは、骨盤全体を包み込む形態であったが、本改良型では、
ウエスト部を締める細いベルト状とした。
【０００７】
従来品の、支柱受け具と腰椎ベルトとの接続は、面ファスナーによっていたが、本改良型では、支柱下部がウエストベルトに吊り下げられた支柱受け具に直接挿入接続する形態とした。
【考案の効果】
【０００８】
上部からの負荷により、ベルトがずり下がる事が無くなり、装具の装着状態が安定した。
【０００９】
支柱と支柱受け具の構造が簡素化されたので、横方向への出張り量が大幅に減り、スリム化された。
【図面の簡単な説明】
【００１０】
【図１】ウエストベルトと支柱受け具組立正面図
【図２】ウエストベルトと支柱受け具組立側面図
【図３】支柱受け具正面図
【図４】支柱受け具側面図
【考案を実施するための形態】
【００１１】
非伸縮性ウエストベルトにより、骨盤上部のウエスト部を強めに緊迫する事とし、上部からの負荷により、ベルトがずり下がる事を防止する。
【００１２】
ウエストベルトに、左右骨盤腸骨頂部の前後に、約１０ｃｍの間隔で取り付けられたバンドにより、支柱受け具プレートを取り付ける。
【実施例１】
【００１３】
本考案者は、歩行不全に陥り、MRI検査の結果、腰椎椎間板ヘルニアの切除手術を宣告されたが、取り敢えず、通院牽引治療を受けながら、自宅で牽引出来ないか検討しているうちに、身体装着、歩行中も牽引状態が可能な装具が出来ないか、試作試行を繰り返し、往復７０分の通勤時に着用試行しながら、約６ヶで、症状が改善され、装具なしでも日常生活が可能な状態になった。
【実施例２】
【００１４】
症状改善後も、長距離のウオーキングや、旅行、重量物の運搬時には、予防的に本装具を着用している。
【産業上の利用可能性】
【００１５】
歩行不全、腰痛等に悩んでいる人が多数いる現実があり、症状改善に腰椎牽引が有効な対象者は、日常生活の中での症状改善が可能となる。
【符号の説明】
【００１６】
a  ウエストベルト
b  支柱受け具吊り下げバンド
c  支柱受け具
d  支柱
【図１】
0003206132.tif 000003
【図２】
0003206132.tif 000004
【図３】
0003206132.tif 000005
【図４】
0003206132.tif 000006
(57)【要約】【課題】  本考案は、ケース内に挿し立て入れした筆記具，眼鏡などを見やすく取り出しやすくした携帯用のケースを新規に提供することを課題とする。【解決手段】  本考案は、ケース１の開閉用のファスナー２ａ，２ｂを上端から中間下にとどめて、ファスナー下にて有底の筒部３を形成し、このファスナー２ａ，２ｂの開き度合に応じてケースの上半を長短に外折りすることができるようにして課題を解決する。【選択図】図２
0003206106.tif 000002
【実用新案登録請求の範囲】
【請求項１】
肌ざわりが良く、衝撃をやわらげ且つ腰のあるネオプレンまたは同質の素材にてケースを形成し、このケースの上端から中間下までに開閉用のファスナーを設け、ファスナー下にて有底の筒部を形成し、且つファスナーの開き度合に応じてケースの上半を長短して外折りするようにしたことを特徴とする筆記具，眼鏡の携帯用立て入れケース。
【考案の詳細な説明】
【技術分野】
【０００１】
この考案は筆記具，眼鏡の携帯用立て入れケースに関するものある。
【背景技術】
【０００２】
この種のケースとしては特許４６１７５９７号公報がある。この公報はファスナーを開くと下半に前カバーを有す縦長割り開き形のペン立てとなり、ファスナーを閉じると平たく折畳まれて携帯しやすく、しまい置きしやすくするということを記載している。
【特許文献１】特許第４６１７５９７号公報
【考案の開示】
【考案が解決しようとする課題】
【０００３】
しかしながら、上記の公報はファスナーを開いてケースを割り開きして、筆記具として例えば万年筆などを立て入れするようにしているが、立て入れした万年筆などは前カバーの部分のほかは縦長のケースによってかくれて見にくいものにしていて、出し入れを容易でないものにしているという課題がある。
【課題を解決するための手段】
【０００４】
本考案は、肌ざわりが良く、衝撃をやわらげ、且つ腰のある例えばネオプレンまたは同質の素材にて縦長のケースを形成し、このケースの前面の上端から中間下に開閉用のファスナーを設けて、ファスナーのない中間下にて筆記具，眼鏡などを立て入れする有底の筒部を形成し、且つケースの上半をファスナーの開き度合に応じて長短して外折りすることができるようにして、立て入れした筆記具，眼鏡などの上半を見やすくして取り出しやすいものにして、上記の課題を解決するようにしたのである。
【考案の効果】
【０００５】
本考案は、縦長のケースの上半をファスナーの開き度合に応じて長短して外折りすることができるようにしたので、立て入れした万年筆などの筆記具，眼鏡などは短いものも上半がケースから露出して見えて取出しやすくなるという効果を生ずる。
【０００６】
開閉用のファスナーをケースの上端から中間下にとどめたことで、中間下にて有底の筒部を形成することができるという効果を生ずる。
【０００７】
肌ざわりが良く、衝撃をやわらかく受けとめ、且つ腰のある例えばネオプレンなどにてケースを形成するので、ケースは机上等に支えなしに自立して立て置きすることができ、落としても内部の筆記具，眼鏡などの破損を防止することができるという効果を生ずる。
【０００８】
肌ざわりが良い材質によってきれいで、携帯時に鞄，ハンドバッグを傷めないという効果を生ずる。
【図面の簡単な説明】
【０００９】
【図１】本考案の１実施例を示すもので、（ａ）は斜視図、（ｂ）は側面図
【図２】同、（ａ）はファスナーの上部を開閉して外折りした状態、（ｂ）は中間まで開閉した外折りした状態、（ｃ）は是（イ）にして外折りした状態の各使用例を示す斜視図
【図３】ボトルホルダーとして利用例を示す斜視図
【符号の説明】
【００１０】
１はケース
２ａ，２ｂはファスナー
２ｃは開閉用のスライダー
３は筒部
３ａは円形等の底部
４は提手
５はペットボトル
５ａはキャップ
Ａは筆記具
Ｂは眼鏡
Ｃは机
【考案を実施するための最良の形態】
【００１１】
本考案は、縦長ケースの上端から中間下にとどまるようにして開閉用のファスナーを設け、ファスナーのない中間下を有底の筒部にして筆記具，眼鏡を取り出し自在に立て入れするようにし、且つファスナーの開き度合に応じてケースの上半を長短して外折り開きすることができるようにして立て入れした筆記具，眼鏡を短いものも外視し得るようにして取り出しやすい携帯用の筆記具，眼鏡などの立て入れケースを形成する。
【実施例１】
【００１２】
図１乃至図２は本考案の実施例であって、肌ざわりが良好で、衝撃をやわらげ、且つ腰のあるネオプレンまたは同質の素材にて携帯用のケース１を形成する。
【００１３】
ケース１は図１に示すように、縦長形をしていてその前面の上端から中間下にとどまるようにして開閉用のファスナー２ａ，２ｂを取付け、ファスナー２ａ，２ｂのない中間下を円形等の底部３ａを有す筒部３にして、鉛筆，万年筆などの筆記具Ａ，眼鏡Ｂなどを立て入れすることができるようにする。２ｃはファスナー２ａ，２ｂを開閉用のスライダー、４はケース１の後面に設けた提手である。
【００１４】
ファスナー２ａ，２ｂを閉じると、ケース１は密閉状態となって、鞄，ハンドバッグ等に入れて携帯することができることとなる。
【００１５】
机Ｃなどの上に置いて使用するときは、腰があることでケース１は支えなしに自立して立て置きすることができ、ファスナー２ａ，２ｂを全開するとケース１は有底の筒部３上の全長を外折れさせることができ、ファスナー２ａ，２ｂを半開きにとどめるとその分においてケース１の上部は短縮して外開きすることになる。つまりファスナーの開き度合に応じてケース１の上半は長短して外開きして筆記具Ａ，眼鏡Ｂなどの上半を外視し取り出しやすくすることになる。
【００１６】
また、ケース１は衝撃をやわらげる素材にて形成することによって、筆記具Ａなどを入れたまま落としても筆記具Ａなどを破損させないことになる。
【００１７】
さらには肌ざわりの良好により、ケース１はきれいでを取扱いやすく、携帯時に鞄，ハンドバッグなどを傷めないものにしている。
【００１８】
なお、ネオプレン素材は断熱性および防水性にもすぐれているので、図３に示すように飲料入りペットボトル５のボトルホルダーとしても利用することができ、提手４を持って携帯するほか、鞄，ハンドバッグなどに入れても他物を濡らしたりすることがないものとなる。
【産業上の利用可能性】
【００１９】
本考案の携帯用のケースは、立て入れした筆記具，眼鏡などを見やすくして、取り出しやすくすることで広く利用されるものである。
【図１】
0003206106.tif 000003
【図２】
0003206106.tif 000004
【図３】
0003206106.tif 000005
(57)【要約】      （修正有）【課題】使用するときに、シェードの角度を回転することができ、透明パネルを異なる角度に位置させ、光の角度の調整を満足できる、ヒートシンクにより、シェード中の熱量をよく排出でき、光源の損害を避ける、放熱ファンを通して、放熱率を高め、電子制御ユニットを通して、放熱ファンの回転スピードを制御できるウォールランプを提供する。【解決手段】台座１を含み、その台座の枢軸位置にはねじ棒２を設置してあり、そのねじ棒が其の台座と離れている一端にランプソケット３があり、そのランプソケットの雌ねじが光源４と繋げている、そのねじ棒の上にはシェード５が配置され、そのシェードのトップに放熱溝５０１を設置してあり、その放熱溝中にヒートシンク５０２が配置され、そのシェードの底部に透明溝５０３を設置してあり、その透明溝に透明パネル５０４を設置してある。【選択図】図１
0003206166.tif 000002
【実用新案登録請求の範囲】
【請求項１】
ウォールランプにおいて、
台座を含み、その台座の枢軸位置にはねじ棒を設置してあり、そのねじ棒の一端にランプソケットがあり、そのランプソケットの雌ねじが光源と繋げている、そのねじ棒の上にはシェードが配置され、そのシェードのトップに放熱溝を設置してあり、その放熱溝中にヒートシンクが配置され、そのシェードの底部に透明溝を設置してあり、その透明溝に透明パネルを設置してあり、そのヒートシンクのトップには放熱ファンを設置してあり、その放熱ファンとそのヒートシンクが固定して繋げられ、その放熱ファンのトップ部の真ん中に電子制御ユニットを設置してあり、その電子制御ユニットとその放熱ファンが通電して繋げられた
ことを特徴とするウォールランプ。
【考案の詳細な説明】
【技術分野】
【０００１】
本実用新型は一種の改良型ウォールランプに関する。
【背景技術】
【０００２】
ウォールランプは一種のよく見られる家庭用ランプであるが、既存の技術では、ウォールランプの光の照射方向を柔軟に調整することができない、同時に、既存の技術ではのウォールランプの放熱調節はよくない。
【考案の概要】
【考案が解決しようとする課題】
【０００３】
本実用新型は解決する必要な問題は一種の改良型ウォールランプを提供すること、本措置は使用するとき、シェードの角度を回転することができ、透明パネルを異なる角度に位置させ、光の角度の調整を満足できる、ヒートシンクにより、シェード中の熱量をよく排出でき、光源の損害を避ける、放熱ファンを通して、放熱率を高め、電子制御ユニットを通して、放熱ファンの回転スピードを制御できる。
【課題を解決するための手段】
【０００４】
以上の問題を解決するために、本実用新型は以下の技術案を採用する。一種の改良型ウォールランプ、台座を含め、その台座の枢軸位置にはねじ棒を設置してあり、そのねじ棒が其の台座と離れている一端にランプソケットがあり、そのランプソケットの雌ねじが光源と繋げている、そのねじ棒の上にはシェードが配置され、そのシェードのトップに放熱溝を設置してあり、その放熱溝中にヒートシンクが配置され、そのシェードの底部に透明溝を設置してあり、その透明溝に透明パネルを設置してある、そのヒートシンクのトップには放熱ファンを設置してあり、その放熱ファンとそのヒートシンクが固定で繋げられ、その放熱ファンのトップ部の真ん中に電子制御ユニットを設置してあり、その電子制御ユニットとその放熱ファンが通電で繋げる。
【０００５】
優秀な技術案として、その台座の右端面の外側に近い所に三つ以上固定ボルトが設けられている。
【０００６】
優秀な技術案として、そのヒートシンクの厚さは1mm-1.5mm、そのヒートシンクはアルミニウム製である。
【０００７】
優秀な技術案として、その透明パネルはアクリル板、そのパネルの厚さは1mm-1.5mm。
【０００８】
優秀な技術案として、そのねじ棒にはガスケットが設けられており、そのガスケットがその台座とシェードの間に挟まれタオル。
【考案の効果】
【０００９】
本実用新型の有益な効果は：本措置は使用するとき、シェードの角度を回転することができ、透明パネルを異なる角度に位置させ、光の角度の調整を満足できる、ヒートシンクにより、シェード中の熱量をよく排出でき、光源の損害を避ける、放熱ファンを通して、放熱率を高め、電子制御ユニットを通して、放熱ファンの回転スピードを制御できる。本装置の構造が簡単で、コストが低い、普及することに相応しい。
【図面の簡単な説明】
【００１０】
【図１】本実用新型の構造見取り図。
【考案を実施するための形態】
【００１１】
本実用新型のメリットと特徴を技術分野の技術者に簡単に理解され、さらに本実用新型の保護範囲にもっと明確に決めるために、これから付図とあわせて本実用新型の優秀な実施例を詳しく説明する。
【００１２】
図面１に示された一種の改良型ウォールランプ、台座１を含め、その台座1の枢軸位置にはねじ棒2を設置してあり、そのねじ棒2が其の台座1と離れている一端にランプソケット3があり、そのランプソケット３の雌ねじが光源４と繋げている、そのねじ棒２の上にはシェード５が配置され、そのシェード５のトップに放熱溝501を設置してあり、その放熱溝501中にヒートシンク502が配置され、そのシェード５の底部に透明溝503を設置してあり、その透明溝５０３に透明パネル504を設置してある、そのヒートシンク502のトップには放熱ファン505を設置してあり、その放熱ファン505とそのヒートシンク502が固定で繋げられ、その放熱ファン505のトップ部の真ん中に電子制御ユニット506を設置してあり、その電子制御ユニット506とその放熱ファン505が通電で繋げる。
【００１３】
本実用新型の一つの好ましい実施例として、その台座１の右端面の外側に近い所に三つ以上固定ボルト111が設けられている。
【００１４】
本実用新型の一つの好ましい実施例として、そのヒートシンク502の厚さは1mm-1.5mm、そのヒートシンク502はアルミニウム製である。
【００１５】
本実用新型の一つの好ましい実施例として、その透明パネル504はアクリル板、そのパネル504の厚さは1mm-1.5mm。
【００１６】
本実用新型の一つの好ましい実施例として、そのねじ棒２にはガスケット211が設けられており、そのガスケット211がその台座1とシェード5の間に挟まれタオル。
【００１７】
本実用新型の有益な効果は：本措置は使用するとき、シェードの角度を回転することができ、透明パネルを異なる角度に位置させ、光の角度の調整を満足できる、ヒートシンクにより、シェード中の熱量をよく排出でき、光源の損害を避ける、放熱ファンを通して、放熱率を高め、電子制御ユニットを通して、放熱ファンの回転スピードを制御できる。本装置の構造が簡単で、コストが低い、普及することに相応しい。
【００１８】
以上、本実用新型の基本原理、主な特徴とメリットを示し説明した。この業界の技術者は理解するべきことは，本実用新型は上記の実例に制限されない、上記の例と説明書では、ただ本実用新型の原理を説明すだけで、本実用新型の精髄と範囲を脱離しない限り、これからいろいろ変化と改善を進める。この変化と改善は本実用新型の保護要求に合う。本実用新型が要求する保護範囲は添付の権利要求所及び均等物のもので定義するとする。
【図１】
0003206166.tif 000003
(57)【要約】【課題】  使用場所や使用用途に制限が無く幅広い活用が可能で、意匠的にも美しい組立間仕切り壁をより簡単に構築する為、同じ大きさ同じ形状の強化ダンボール等の軽くて丈夫な複数の板材と、最小限の繋ぎ金具を組み合わせることで、汎用性が極めて高く組立が簡単で表面に凹凸の表れない、組立式間仕切り壁を提供する。【解決手段】  強化ダンボール等製組立式間仕切り壁において、同じ形状の強化ダンボール等板材（１）複数枚を水平繋ぎ平面用（２）、角面用（４）の２種類と上下小口繋ぎ平面用（３）、角面用（５）の２種類、計４種類の繋ぎ金具に差し込み連結させることで組立式間仕切り壁を構成している。【選択図】      図１
0003206164.tif 000002
【実用新案登録請求の範囲】
【請求項１】
強化ダンボール等製組立式間仕切り壁において、同じ形状のダンボール等板材（１）複数枚を水平繋ぎ平面用（２）、角面用（４）の２種類と上下小口繋ぎ平面用（３）、角面用（５）の２種類、計４種類の繋ぎ金具に差し込み連結させることでできる強化ダンボール等製組立式間仕切り壁。
【請求項２】
強化ダンボール等板材（１）の四隅の角から同じ位置にスリット（６）を設け、繋ぎ金具に設置された板状の部材（７）をスリット（６）に差し込み上下左右方向の擦れを防止させることでできる強化ダンボール等製組立式間仕切り壁。
【考案の詳細な説明】
【技術分野】
【０００１】
本考案は、組立式間仕切り壁に関する。
【背景技術】
【０００２】
従来より、ダンボール等を用いた間仕切り壁というものは存在し知られている。
【０００３】
しかしながら、従来のダンボール等を用いた間仕切り壁は、ダンボール等板材を折り曲げ重ね合わせるなどし、その重ねしろを金具で挟み込む事で固定するものや柱状の長い金具を縦方向及び横方向に這わせる事で固定するものであった。
【先行技術文献】
【特許文献】
【０００４】
【特許文献１】実登３１１８７１１号公報
【特許文献２】実登３１０８５９２号公報
【特許文献３】特開平０８−３０２８６８号公報
【考案の概要】
【考案が解決しようとする課題】
【０００５】
ところが従来のダンボール等を用いた間仕切り壁は、連結させた際の重ねしろによる板厚分の凹凸が生じてしまい展示空間等では使用しづらい等、使用場所に制限が出るという欠点があった。また、柱状の繋ぎ金具による間仕切り壁では２ｍ近い壁の高さ分の柱等繋ぎ金具が数多く付属するため、その保管場所や運搬、組立の際に組立間仕切り壁としての容易性は低くかった。
【０００６】
そこで、同じ形状の強化ダンボール等板材複数枚を上下各種計４種類の繋ぎ金具に差し込み連結させることで、簡単且つシンプルな組立式間仕切り壁を構成する。
【０００７】
また、強化ダンボール等板材の角部にスリットを設け、そこを繋ぎ金具に設置された板状部材に差し込むことで上下左右方向の擦れを防止する構成とする。
【考案の効果】
【０００８】
本考案は、強化ダンボール等板材を重ねたり挟み込まずに、同じ形状の段ボール等板材と最小限の繋ぎ金具を組み合わせることで凹凸無くフラットに連結できるため、極めて汎用性が高く、使用場所や使用用途に制限が無く幅広い活用が可能であり意匠的にも美しいと言える。
【図面の簡単な説明】
【０００９】
【図１】強化ダンボール等製組立式間仕切り壁図
【図２】連結部の詳細図
【図３】水平繋ぎ平面用金具図
【図４】上下小口繋ぎ平面用金具図
【図５】水平繋ぎ角面用金具図
【図６】上下小口繋ぎ角面用金具図
【考案を実施するための形態】
【００１０】
本考案を実施するための形態を図面を用いて具体的に説明する。
【００１１】
図１に示すように、強化ダンボール等製組立式間仕切り壁において、同じ形状の強化ダンボール等板材（１）複数枚を繋ぎ金具（２）、（３）、（４）、（５）を組み合わせることで水平方向や垂直方向に連結させる構成である。
【００１２】
図２に示すように、強化ダンボール等板材（１）の四隅の角から同じ位置にスリット（６）を設け、繋ぎ金具（２）、（３）、（４）、（５）に設置された板状の部材（７）をスリット（６）に差し込むことで上下左右方向の擦れを防止する構成である。
【００１３】
図３に示すように、水平繋ぎ平面用金具（２）を強化ダンボール等板材（１）の上下に用いることで、水平方向に強化ダンボール等板材（１）を連結させる構成である。
【００１４】
図４に示すように、上下小口繋ぎ平面用金具（３）を図１、図２のように水平繋ぎ平面用金具（２）と組み合わせることで、連結した際の安定感を持たせる構成である。
【００１５】
図５に示すように、水平繋ぎ角面用金具（４）を強化ダンボール等板材（１）の上下に用いることで、垂直方向に強化ダンボール等板材（１）を連結させる構成である。
【００１６】
図６に示すように、上下小口繋ぎ角面用金具（５）を図１、図２のように水平繋ぎ角面用金具（４）と組み合わせることで、連結した際の安定感を持たせる構成である。
【００１７】
このように、スリット（６）を設けた強化ダンボール等板材（１）と水平繋ぎ平面用（２）、角面用（４）の２種類、上下小口繋ぎ平面用（３）、角面用（５）の２種類、計４種類の繋ぎ金具に差し込み連結させることで組立式間仕切り壁を構成している。
【符号の説明】
【００１８】
（１）  強化ダンボール等板材
（２）  水平繋ぎ平面用金具
（３）  上下小口繋ぎ平面用金具
（４）  水平繋ぎ角面用金具
（５）  上下小口繋ぎ角面用金具
（６）  スリット
（７）  板状の部材
【図１】
0003206164.tif 000003
【図２】
0003206164.tif 000004
【図３】
0003206164.tif 000005
【図４】
0003206164.tif 000006
【図５】
0003206164.tif 000007
【図６】
0003206164.tif 000008
(57)【要約】      （修正有）【課題】体の側面にて袋を保持した際に底面が水平になる手提げ袋を提供する。【解決手段】持ち手Ａ、Ｂの長さを左右で変えることにより体の側面において袋が水平を保った状態で持てるようになり、内容物が水平を保った状態で保持できるようになる。【選択図】図１
0003206230.tif 000002
【実用新案登録請求の範囲】
【請求項１】
本考案は手で提げて持つ袋の持ち手の長さが左右で異なる袋に関するものである。
【考案の詳細な説明】
【技術分野】
【０００１】  本考案は手で提げて持つ袋の左右の持ち手の長さが左右で異なることに関するものである
【背景技術】
【０００２】  従来の手提げ袋は左右の持ち手の長さが均一の為片手で複数の荷物を同時に持つ場合に持ち手の長さが左右同一なことにより袋の底面の外側部分が上に引っ張られることにより中身の荷物が傾いてくるという不都合が生じていた。特に水平で運ぶことを必要とするケーキや弁当等の持ち運びの際には体から離して上から左右均一に持つことを必要とされた。雨降りの際に片手に傘、片手にバッグを持った状態でケーキを運ぶのは至難の業である。その他、バッグと別に弁当を持ち運ぶ際に弁当バッグを体の外側に持つ為お弁当が傾く不満もあった。
【考案の概要】
【考案が解決しようとする課題】
【０００３】  水平に持つ必要のある袋を持つ際には体に接触しないよう体から離してかつ、単独で持つ必要があり、複数の荷物を一緒に運ぶことが出来なかった。また、長時間水平状態で運ぶことは労働的負担と体力的消耗もあった。しかし、左右の持ち手の長さを変えることで体の側面でかつ、複数の荷物を同時に持つことが可能になり前述の欠点を解決しようとするものである。
【課題を解決するための手段】
【０００４】  持ち手の長さを体の側面にて袋を保持した際底面が水平になるよう左右不均等にする。
【考案の効果】
【０００５】  体の側面で袋を持った際に外側に長い持ち手がくるようにして持つことにより袋が水平状態で保持することが可能になり内容物が傾かない水平状態で保持できるようになる。複数の袋を持つ際にも体に近い側の荷物が障害になり外側が傾いてくることも解消できる。
【図面の簡単な説明】
【０００６】
【図１】本考案の袋の持ち手部分を示す図である。
【考案を実施するための形態】
【０００７】  袋の持ち手の短い方を内側にし、長い方の持ち手の長さを袋部分が水平となるようにすることで水平に保持できる。
【実施例】
【０００８】    ケーキなどの生菓子を持ち運ぶ際の紙袋
弁当、惣菜を運ぶためのビニール袋や手提げ袋
ホテル・百貨店などの紙袋
ビジネスバッグやトートバッグ
【産業上の利用可能性】
【０００９】  実施例で挙げた人が体の側面で持ついかなる物でも水平を保った状態で持つ為には袋及び袋の内容物が体に干渉しない厚みのものを除いて持ち上げる必要があるものにおいては、持ち手の長さが均一の袋では傾かずに持つことが非常に難しいので持ち手の長さを袋の大きさ及び内容物に応じて非対称とすることにより容易に水平を保った状態で持ち運びできるように活用できる。
【符号の説明】
【００１０】Ａ：持ち手の長い方とする。
Ｂ：持ち手の短い方とする。
【図１】
0003206230.tif 000003
(57)【要約】      （修正有）【課題】腕時計の革バンドの着脱を容易にするとともに、革バンドの寿命を延ばすことができるバックルを提供する。【解決手段】腕時計用革バンド用バックル１は、腕時計用革バンドの美錠側の先端に取り付けられ、略コの字形状に形成され、基端側が美錠側の革バンド１００の先端に回動自在に取り付けられる美錠部１０と、美錠部１０の先端側の略中央において、革バンド１００が延びる方向と直交する方向に突出する突出部２０と、を備え、突出部２０が、剣先側の革バンド２００に形成された小穴２０１と系合することで、美錠側と剣先側の革バンド１００、２００を互いに連結する。【選択図】図３
0003206229.tif 000002
【実用新案登録請求の範囲】
【請求項１】
腕時計用革バンドの美錠側の先端に取り付けられる腕時計用革バンド用バックルであって、
略コの字形状に形成され、基端側が美錠側の革バンドの先端に
回動自在に取り付けられる美錠部と、
美錠部の先端側の略中央において、革バンドが延びる方向と直交する方向に突出する突出部と、を備え、
突出部が、剣先側の革バンドに形成された小穴と系合することで、美錠側と剣先側の革バンドを互いに連結することが可能な腕時計用革バンド用バックル。
【考案の詳細な説明】
【技術分野】
【０００１】  腕時計用革バンドの美錠側の先端に取り付けられる腕時計用革バンド用バックルに関する。
【背景技術】
【０００２】  従来、特許文献１に示すように、腕時計用革バンド用バックルは、美錠側の革バンドの先端に設けられ、美錠に剣先側の革バンドを通し、この剣先側の革バンドの小穴に、つく棒を通し、つく棒の先端を美錠に引っ掛けることで、剣先側と美錠側の革バンドを連結していた。
【先行技術文献】
【特許文献】
【０００３】
【特許文献１】実開平０５−００７１１２号公報
【考案の概要】
【考案が解決しようとする課題】
【０００４】  しかしながら、従来の時計用革バンドに付いている、「つく棒」のあるバックルだと、着脱の際、バンドを折り曲げるようにしがちの為、バンドが傷みやすい、
本発明は、腕時計の革バンドの着脱を容易にするとともに、革バンドの寿命を延ばすことを目的とする。
【課題を解決するための手段】
【０００５】  腕時計用革バンドの美錠側の先端に取り付けられる腕時計用革バンド用バックルであって、略コの字形状に形成され、基端側が美錠側の革バンドの先端に回動自在に取り付けられる美錠部と、
美錠部の先端側の略中央において、革バンドが延びる方向と直交する方向に突出する突出部と、を備え、
突出部が、剣先側の革バンドに形成された小穴と系合することで、美錠側と剣先側の革バンドを互いに連結することが可能な腕時計用革バンド用バックル。
【考案の効果】
【０００６】  腕時計の革バンドの着脱を容易にするとともに、革バンドの寿命を延ばすことが出来る。
【図面の簡単な説明】
【０００７】
【図１】本考案の実施形態に係る腕時計用革バンド用バックルの平面図である。
【図２】本考案の実施形態に係る腕時計用革バンド用バックルの側面図である。
【図３】本考案の実施形態に係る腕時計用革バンド用バックルの使用状態を示す側面図である。
【考案を実施するための形態】
【０００８】  腕時計用革バンド用バックル１は、腕時計用革バンドの美錠側の先端に取り付けられ、
略コの字形状に形成され、基端側が美錠側の革バンド１００の先端に回動自在に取り付けられる美錠部１０と、
美錠部１０の先端側の略中央において、革バンド１００が延びる方向と直交する方向に突出する突出部２０と、を備え、
突出部２０が、剣先側の革バンド２００に形成された小穴２０１と系合することで、美錠側と剣先側の革バンド１００、２００を互いに連結することが可能である。
【０００９】  突出部２０は、革バンド１００が延びる方向と直行する方向に延びる軸部２１と、軸部２１の先端に設けられ、外径が、剣先側の革バンド２００の小穴２０１の内径よりわずかに大きい寸法で形成された先端部２２と、を有する。
また、突出部２０は、美錠部１０の表面から先端部２２の先端までの寸法が、剣先側の革バンド２００の厚さと略同じに形成されている。
これにより、美錠側と剣先側の革バンド１００、２００を互いに連結した時に、突出部２０の先端が革バンド２００の小穴２０１から、突出しないので、着け心地が向上する。
【符号の説明】
【００１１】１  腕時計用革バンド用バックル
１０  美錠部
２０  突出部
２１  軸部
２２  先端部
１００  美錠側革バンド
２００  剣先側革バンド
２０１  剣先側革バンド小穴
【図１】
0003206229.tif 000003
【図２】
0003206229.tif 000004
【図３】
0003206229.tif 000005
(57)【要約】      （修正有）【課題】通常時には普通のポケットとして使用でき、作業時には吊り下げ状態となるポケットを有するズボンを提供する。【解決手段】大きさの異なる複数の収納部を有する袋状のポケット２を有するズボンにおいて、ポケット２の上端は身頃３に縫着され、ポケット２の左右側部と左右側部に相当する身頃３の位置に一対のスライドファスナー５を備え、スライドファスナー５は下方からスライドにより開閉でき、スライドファスナー５の開閉により、ポケット２の左右側部が身頃３からが脱着でき、吊り下げ状態に切り替えることができる。【選択図】図２
0003206281.tif 000002
【実用新案登録請求の範囲】
【請求項１】
大きさの異なる複数の収納部を有する袋状のポケットを有するズボンにおいて、前記ポケットの上端は身頃に縫着され、前記ポケットの左右側部と前記左右側部に相当する身頃の位置に一対のスライドファスナーを備え、前記スライドファスナーは下方からスライドにより開閉できることを特徴とするズボン。
【考案の詳細な説明】
【技術分野】
【０００１】
本考案は、大小異なる大きさの複数の収納部を有する袋状のポケットのあるズボンに関するものである。
【背景技術】
【０００２】
大小異なる工具の収納が可能なツールポケット付ズボンが考えられている（特許文献１参照）。この考案において、ペンチ類，ドライバー類，レンチ類，モンキー類等の大小，大きさの異なるツールに分けて収納でき、作業性をよくするため、ツールポケットは大きさの異なる複数のポケット部を有し、ウエストベルト部から吊り下げてあり、通常のズボンとして使用する場合には、ツールポケットをズボンに形成した開口部の内側に収納できるものとなっている。
【先行技術文献】
【特許文献】
【０００３】
【特許文献１】実用新案登録第３２００８７６号公報
【考案の概要】
【考案が解決しようとする課題】
【０００４】
しかし、大きさの異なるツールを分けて収納するためには、ポケットが大きくなり、そのポケットをズボンに形成した開口部の内側に収納するのは無理がある。
そこで、本考案は、通常時には普通のポケットとして使用でき、作業時には吊り下げ状態となるポケットを有するズボンを提供することを目的とする。
【課題を解決するための手段】
【０００５】
本考案のズボンは、大きさの異なる複数の収納部を有する袋状のポケットを有するズボンにおいて、前記ポケットの上端は身頃に縫着され、前記ポケットの左右側部と前記左右側部に相当する身頃の位置に一対のスライドファスナーを備え、前記スライドファスナーは下方からスライドにより開閉でき、前記スライドファスナーの開閉により、前記ポケットの左右側部が身頃からが脱着でき、吊り下げ状態に切り替えることができる。
【考案の効果】
【０００６】
この考案によれば、ズボンに設けられた大きさの異なる複数の収納部を有するポケットが、スライドファスナーの開閉により、身頃に結合した状態から吊り下げ状態に切り替えできるため、道具を必要とする作業においては、スライドファスナーを開いて使用することにより、作業性がよくなる。作業をしない場合や、吊り下げ状態が気になる場合には、スライドファスナーを閉じることにより、普通のズボンのポケットとしても使用でき、使い分けをすることができる。
【図面の簡単な説明】
【０００７】
【図１】本考案に係るズボンを示す図
【図２】ズボンのスライドファスナー部分の説明図
【図３】本考案に係るズボンの他の例を示す図
【図４】本考案に係るズボンの他の例を示す図
【図５】本考案に対する代案のズボンの例を示す図
【考案を実施するための形態】
【０００８】
以下、本考案に係るズボンの一実施の形態について、図１〜図５に基づいて説明する。
図１は本考案に係るズボンを示す図で、ズボン１の腰の位置にポケット２を有する。
【０００９】
ポケット２は大小異なる大きさの複数の収納部を有する袋状で、ポケット２の上端は身頃３及びウエストベルト部４の間に挟み込むようにして縫着されている。ポケット２の左右側部は、左右側部に設けられたスライドファスナー５により、身頃３に対して脱着することができる。
【００１０】
図２はズボン１のスライドファスナー部分の説明図である。図２Ａはスライドファスナー５を閉じた状態で、図２Ｂはスライドファスナー５を開いた状態を示している。ポケット２の左右側部にスライドファスナーのエレメント列５ａと、ポケット２の左右側部に相当する身頃３の位置にスライドファスナーのエレメント列５ｂを設け、これらが対となっており、下方からスライドにより開閉することができる。
【００１１】
ポケットの中に道具を入れて作業する場合には、スライドファスナー５を開き、ポケット２を吊り下げ状態にして使用する。スライドファスナー５を閉じた場合には、普通のズボンのポケットと同様に使用できる。なお、図示例では、ポケット２の収納部にスライドファスナーを備えたものを示しているが、これに限定されるものではない。
【００１２】
図３及び図４は本考案に係るズボンの他の例を示す図で、ポケット２の道具を入れる収納部の大きさ、配置などを変えている。図５は本考案に対する代案のズボンの例を示す図で、ポケット２の位置を太もも部分に配置してあり、ポケット２の上端は身頃に縫着され、ポケット２の左右側部をスライドファスナーにより、身頃に脱着できるものとなっている。
【００１３】
１    ズボン
２    ポケット
３    身頃
４    ウエストベルト部
５    スライドファスナー
【図１】
0003206281.tif 000003
【図２】
0003206281.tif 000004
【図３】
0003206281.tif 000005
【図４】
0003206281.tif 000006
【図５】
0003206281.tif 000007